(57)【要約】【課題】ＬＡＮインターフェース切替装置に関し、電源断があってもＬＡＮインターフェースの接続状態が変わらず、ＬＡＮインターフェースの接続切替えを一斉に行い、かつ、複数台のＬＡＮインターフェース切替装置のすべてによるＬＡＮインターフェースの接続切替えを一斉に行うことを可能にする。【解決手段】共通ユニット１と複数の切替ユニット２とで構成され、切替ユニット２は、ＬＡＮ−Ａ，ＬＡＮ−Ｂ，ＬＡＮ−Ｃを一組とし、それぞれのＬＡＮインターフェースを接続するコネクタ３と接続切替回路４とで構成される。接続切替回路４は、ＬＡＮ−ＡまたはＬＡＮ−ＢのいずれかをＬＡＮ−Ｃに接続する切替機能を有する。共通ユニット１は、ＬＡＮインターフェース切替装置に搭載されるすべての切替ユニット２に対し、一斉にＬＡＮ−Ａ側またはＬＡＮ−Ｂ側に接続を切り替える一斉切替信号を出力する機能を有している。【選択図】図１
0003183184.tif 000002
【実用新案登録請求の範囲】
【請求項１】
ＵＴＰケーブルを用いる３本のＬＡＮインターフェースを収容し、該３本のＬＡＮインターフェースをそれぞれ仮にＬＡＮ−Ａ、ＬＡＮ−Ｂ、ＬＡＮ−Ｃとし、ＬＡＮ−Ｃを共通ＬＡＮインターフェースとしたとき、ＬＡＮ−ＡとＬＡＮ−ＢのいずれかのＬＡＮインターフェースをＬＡＮ−Ｃに接続することができるＬＡＮインターフェース切替ユニットを複数台搭載してなるＬＡＮインターフェース切替装置において、
該切替ユニットと装置毎に設けられ装置全体の制御をする共通ユニットとからなり、
該切替ユニットは、該ＬＡＮ−ＡまたはＬＡＮ−ＢをＬＡＮ−Ｃに接続する信号線数と同数もしくはそれ以上のコンティニアス接点を有する１または複数個のラッチングリレーでなる接続切替回路と、該接続切替回路をＬＡＮ−Ａ側またはＬＡＮ−Ｂ側に切り替えるパルス信号を発生する２個のノンロックスイッチを含む制御回路とで構成され、
前記共通ユニットは、少なくとも、当該装置に搭載されるすべての切替ユニットを一斉にＬＡＮ−Ａ側またはＬＡＮ−Ｂ側に切り替えるパルス信号である一斉切替信号を発生する２個のノンロックスイッチを含む一斉切替信号発生回路と、該一斉切替信号を外部から受信する受信回路と、該一斉切替信号発生回路で発生した信号と受信回路で受信した一斉切替信号のいずれかを、設定された情報にしたがって選択出力する選択回路とで構成され、該選択回路の出力信号を該ＬＡＮインターフェース切替装置内の一斉切替信号として前記切替ユニットに出力するほか、外部に送出回路を介して一斉切替信号として送出する構成を有することを特徴とするＬＡＮインターフェース切替装置。
【考案の詳細な説明】
【技術分野】
【０００１】
本考案は、２本のＬＡＮインターフェースのいずれかに他の１本のＬＡＮインターフェースを接続するＬＡＮインターフェース切替装置に関するものである。
【背景技術】
【０００２】
ＬＡＮインターフェース切替装置は、３本のＬＡＮインターフェースを仮にＬＡＮ−Ａ、ＬＡＮ−Ｂ、ＬＡＮ−Ｃとして、ＬＡＮ−Ｃを共通ＬＡＮインターフェースとしたとき、ＬＡＮ−ＡまたはＬＡＮ−Ｂのいずれかを共通ＬＡＮインターフェースであるＬＡＮ−Ｃに接続する機能を有する。
【０００３】
本考案のＬＡＮインターフェース切替装置は、このＬＡＮ−Ａ，Ｂ，Ｃの組み合わせを複数組搭載する装置を対象にしているので、複数のＬＡＮ−Ａ，Ｂを示す場合、Ａ系、Ｂ系あるいはＡ側、Ｂ側などと呼び、ＬＡＮ−Ｃを共通系と呼ぶこととする。また、該３本１組のＬＡＮインターフェースの切り替え回路を切替ユニットと称することとする。
【０００４】
ＬＡＮシステムにおいてＬＡＮ−ＡまたはＬＡＮ−Ｂのいずれかを現用系とし他方を待機系として用いるＬＡＮシステムでは、通常時は現用系ＬＡＮと共通系ＬＡＮとが接続されているが、現用系ＬＡＮに障害が発生した場合に、待機系ＬＡＮと共通系ＬＡＮとを接続するように切り替える場合にＬＡＮインターフェース切替装置が用いられる。
【０００５】
また、現用システム系ＬＡＮとテストシステム系ＬＡＮとを有するシステムにおいて、サーバやパソコンを通常時は現用システム系ＬＡＮに接続するが、テスト時はテストシステム系ＬＡＮに接続替えする場合のようにＬＡＮインターフェースを切り替えてシステム構成を変更する場合にＬＡＮインターフェース切替装置が供される。
【０００６】
実用に供されているＬＡＮインターフェース切替装置は、一般的にロータリースイッチと呼ばれる手動回転型スイッチで構成されていて、１切替ユニット毎に１個の該ロータリースイッチが備えられている。少数のＬＡＮインターフェースを切り替えるにはこのようなＬＡＮインターフェース切替装置で十分であった。また、このようなＬＡＮインターフェース切替装置は、電源回路を必要としないので、停電などの電源断があっても、ＬＡＮインターフェースの接続状態が変わらないという特長もある。
【０００７】
ロータリースイッチ等を用いてＬＡＮインターフェースを切り替える装置は、例えば下記の非特許文献１乃至４等に記載されている。
【先行技術文献】
【非特許文献】
【０００８】
【非特許文献１】"10/100BASE対応  RJ-45ABCスイッチスタンドアロン(ABC)"、［online］、BLACK BOX NET WORK SERVICES、[平成25年2月15日検索]、インターネット〈URL：http://www.blackbox.co.jp/onlinestore/seihinsyousai/tabid/74/pdid/SWJ-100A/catid/628/Default.aspx〉
【非特許文献２】"ＬＡＮ切替器"、［online］、UNILINK、[平成25年2月15日検索]、インターネット〈URL：http://www.unilink.co.jp/product/lanswitch4512S/〉
【非特許文献３】"ＬＡＮ切替器（８ポート対応)"、［online］、UNILINK、[平成25年2月15日検索]、インターネット〈URL：http://www.unilink.co.jp/product/lanswitch4513/〉
【非特許文献４】"ストレート全結線・全回路切り替えでLAN回線を物理的に切り替え。簡易ファイヤーウォールとしても使えるLAN切替器。"、SANWASUPPLY、[平成25年2月15日検索]、インターネット〈URL：http://www.sanwa.co.jp/product/syohin.asp?code=SW-LAN21〉
【考案の概要】
【考案が解決しようとする課題】
【０００９】
多数のＬＡＮインターフェースを一斉に切り替えるようなシステムでは、従来型のロータリースイッチ等を用いて切り替える構成では、操作作業量が多大になることや操作ミスを誘引する恐れがあるという問題があった。
【００１０】
また、ＬＡＮインターフェース信号線をロータリースイッチに直接接続するため、ＬＡＮインターフェース切替装置が構造上大きくならざるを得なくなり、その結果、ＬＡＮインターフェースのツイストペア線を分離する長さが長くなり、線間インピーダンスが大きくなるため、高速通信には供することができないという課題もあった。
【００１１】
本考案は、従来型のロータリースイッチを用いた装置の特長である、停電などの電源断があってもＬＡＮインターフェースの接続状態が変わらないという特長を保ちつつ、ＬＡＮインターフェース切替装置内の複数の切替ユニットによる切替えを一斉に行うことができ、かつ、ＬＡＮインターフェース切替装置を複数台接続し、該複数台のＬＡＮインターフェース切替装置のすべてによるＬＡＮインターフェース切替えを一斉に行うことができるＬＡＮインターフェース切替装置を提供することを目的とする。
【課題を解決するための手段】
【００１２】
本考案のＬＡＮインターフェース切替装置は、ＵＴＰケーブルを用いる３本のＬＡＮインターフェースを収容し、該３本のＬＡＮインターフェースをそれぞれ仮にＬＡＮ−Ａ、ＬＡＮ−Ｂ、ＬＡＮ−Ｃとし、ＬＡＮ−Ｃを共通ＬＡＮインターフェースとしたとき、ＬＡＮ−ＡとＬＡＮ−ＢのいずれかのＬＡＮインターフェースをＬＡＮ−Ｃに接続することができるＬＡＮインターフェース切替ユニットを複数台搭載してなるＬＡＮインターフェース切替装置において、該切替ユニットと装置毎に設けられ装置全体の制御をする共通ユニットとからなり、該切替ユニットは、該ＬＡＮ−ＡまたはＬＡＮ−ＢをＬＡＮ−Ｃに接続する信号線数と同数もしくはそれ以上のコンティニアス接点を有する１または複数個のラッチングリレーでなる接続切替回路と、該接続切替回路をＬＡＮ−Ａ側またはＬＡＮ−Ｂ側に切り替えるパルス信号を発生する２個のノンロックスイッチを含む制御回路とで構成され、前記共通ユニットは、少なくとも、当該装置に搭載されるすべての切替ユニットを一斉にＬＡＮ−Ａ側またはＬＡＮ−Ｂ側に切り替えるパルス信号である一斉切替信号を発生する２個のノンロックスイッチを含む一斉切替信号発生回路と、該一斉切替信号を外部から受信する受信回路と、該一斉切替信号発生回路で発生した信号と受信回路で受信した一斉切替信号のいずれかを、設定された情報にしたがって選択出力する選択回路とで構成され、該選択回路の出力信号を該ＬＡＮインターフェース切替装置内の一斉切替信号として前記切替ユニットに出力するほか、外部に送出回路を介して一斉切替信号として送出する構成を有することを特徴とする。
【考案の効果】
【００１３】
前述の構成により、本考案においては、従来技術であるロータリースイッチ型の特長である、停電などでＡＣ電源入力がなくなってもＬＡＮインターフェースの接続状態を保つことができる機能を有しながら、当該ＬＡＮインターフェース切替装置内の複数の切替ユニットによる複数のＬＡＮインターフェースを一斉に切り替えることができ、かつ、一斉切替信号を本考案による他の同等のＬＡＮインターフェース切替装置にリレー式に伝達することができるので、システムの規模に応じて必要な台数のＬＡＮインターフェース切替装置を任意に接続して、規模に応じた多数のＬＡＮインターフェースを一斉に切り替えることができ、フレキシビリティに富んだＬＡＮインターフェース切替システムを実現することができる。
【図面の簡単な説明】
【００１４】
【図１】本項案の実施例であるＬＡＮインターフェース切替装置の概要を示す図である。
【図２】ＬＡＮインターフェース切替装置の切替ユニットを説明するための図である。
【図３】ＬＡＮインターフェース切替装置の共通ユニットを説明するための図である。
【考案を実施するための形態】
【００１５】
本考案に係るＬＡＮインターフェース切替装置の実施の形態は、多数のＬＡＮインターフェースを一斉に切り替える機能を、従来型の同様装置の特長である電源入力が遮断されても接続状態を保つという機能を損なうことなく実現したものである。
【００１６】
該ＬＡＮインターフェース切替装置は、基本となる接続切替回路の主要回路にラッチングリレーを用いることによって、電源断が発生した場合やノイズなどによって接続状態が変わってしまうとういう電気・電子回路の弱点を克服して、従来のロータリースイッチ方式の特長を損なうことなく、ＬＡＮインターフェース切替装置の電気・電子回路化を行ったものである。
【００１７】
該ＬＡＮインターフェース切替装置は、一斉切替信号発生回路と、該一斉切替信号を外部から受信する受信回路と、該受信回路で受信した一斉切替信号と当該装置内の該一斉切替信号発生回路で発生した一斉切替信号のいずれかを選択する選択回路と、該選択回路で選択された一斉切替信号を前記ラッチングリレーに切替信号として供給するとともに、該選択された一斉切替信号を当該装置の外部に送出する送出回路とで構成することによって、本考案による同装置を複数台用いて該送出回路の出力が次段の同装置の前記受信回路に入力されるように、いわゆるデージーチェイン接続することによって一斉切替信号を複数のＬＡＮインターフェース切替装置に伝達することを特徴とする。
【実施例】
【００１８】
図１は本考案によるＬＡＮインターフェース切替装置の実施例の概要を示す図である。従来型装置であるロータリースイッチを用いた形態のものでは、図１における共通ユニット１は無く一斉切替信号も無く、これら共通ユニット１及び一斉切替信号等は、本考案のＬＡＮインターフェース切替装置によって導入されたものである。
【００１９】
図１に示すように、ＬＡＮインターフェース切替装置は、共通ユニット１と複数の切替ユニット２とで構成される。切替ユニット２は、ＬＡＮインターフェース１本あたり１ユニット備えられ、１ユニットごとにＬＡＮ−ＡまたはＬＡＮ−ＢいずれかをＬＡＮ−Ｃに接続する機能を有し、ＬＡＮ−Ａ，ＬＡＮ−Ｂ，ＬＡＮ−Ｃを一組とし、それぞれのＬＡＮインターフェースを接続するコネクタ３と接続切替回路４とで構成される。図１ではＬＡＮインターフェースをｎ本収容するＬＡＮインターフェース切替装置の例を示している。ｎは例えば２〜８程度の任意の整数である。
【００２０】
接続切替回路４はＬＡＮ−ＡまたはＬＡＮ−ＢのいずれかをＬＡＮ−Ｃに接続する切替機能を有する。共通ユニット１はＬＡＮインターフェース切替装置に１ユニット備えられ、該ＬＡＮインターフェース切替装置に搭載されるすべての切替ユニット２に対し、一斉にＬＡＮ−Ａ側またはＬＡＮ−Ｂ側に接続を切り替える指令信号である一斉切替信号を出力する機能を有している。
【００２１】
図２は切替ユニット２をより詳しく説明するための図であり、同図に示すように、切替ユニットは、ＬＡＮ−Ａ、ＬＡＮ−Ｂ、ＬＡＮ−Ｃそれぞれに対して設けられる３個のコネクタ３と接続切替回路４とで構成される。
【００２２】
ＬＡＮインターフェースは、ＵＴＰ（（Unshielded Twisted Pair）ケーブルと称されるツイストペア線で接続されているので、２本の信号線単位で構成され、本実施例では第１の信号＃１と第２の信号＃２の二つ信号のペア線すなわち信号＃１ａ，＃１ｂと信号＃２ａ，＃２ｂの二つの信号のペア線を示している。
【００２３】
接続切替回路４は図２の回路記号ＳＷで示すラッチングリレーとそれを駆動制御する制御回路６とから成っていて、ラッチングリレーは駆動コイル８と接点７とで構成され、この実施例ではＳＷ−１〜ＳＷ−４の４接点構成のリレーである。駆動コイル８はＡ側に切り替えるＡ切替信号と、Ｂ側に切り替えるＢ切替信号のいずれかの信号がパルス信号として印加されると、該信号に応じて接点７の接続状態を切り替える。該接点７の接続状態は、該パルス信号が途絶えた後も、印加された信号に応じた接続状態を保持する。
【００２４】
制御回路６は、当該切替ユニット２のみの接続を個別に切り替えるための２個のノンロックスイッチ９Ａ，９Ｂからの切替指令信号と、共通ユニット１からの一斉切替信号とを受け、駆動コイル８にＡ切替信号またはＢ切替信号を出力する機能を有している。
【００２５】
図３は共通ユニット１をより詳しく説明するための図であり、共通ユニットは、一斉切替信号発生回路１０、選択回路１１、受信回路１２、送出回路１３を備えている。一斉切替信号発生回路１０は、一斉にＡ側に切り替える操作のためのノンロック型スイッチである一斉Ａスイッチ１６、または、一斉にＢ側に切り替える操作のためのノンロック型スイッチである一斉Ｂスイッチ１７からの信号を受け、該信号に応じて当該装置が発生するパルス信号である一斉切替信号を発生し、該信号を選択回路１１に出力する。
【００２６】
受信回路１２は、コネクタ１４を介して前段のＬＡＮインターフェース切替装置からの一斉切替信号を受信し、該一斉切替信号を選択回路１１に出力する。選択回路１１は、自装置の一斉切替信号発生回路１０が発生する一斉切替信号と、受信回路１２が受信する一斉切替信号のいずれかを選択するが、その選択はモードスイッチ１８によって決定される。
【００２７】
モードスイッチ１８は、ロック型のスイッチで、ＬＡＮインターフェース切替装置をマスター装置かまたはスレーブ装置のいずれかに設定するスイッチである。複数台の本考案によるＬＡＮインターフェース切替装置をデージーチェイン接続し、該複数台のＬＡＮインターフェース切替装置に接続されたＬＡＮインターフェースを同時に切り替えるシステムを構築する場合、モードスイッチ１８により該複数台のＬＡＮインターフェース切替装置のうちの１台をマスター装置に設定し、他のＬＡＮインターフェース切替装置をスレーブ装置に設定する。
【００２８】
モードスイッチ１８でマスター装置に設定されたＬＡＮインターフェース切替装置の選択回路１１は、自装置の一斉切替信号発生回路１０で発生された一斉切替信号を選択し、モードスイッチ１８でスレーブ装置に設定されたＬＡＮインターフェース切替装置の選択回路１１は、前段装置から受信される一斉切替信号を選択する。
【００２９】
選択回路１１によって選択された一斉切替信号は、自装置内のすべての切替ユニット２に一斉切替信号として伝達されるとともに、送出回路１３およびコネクタ１５を介して次段のＬＡＮインターフェース切替装置に出力される。
【００３０】
以上、説明したように、基本回路である切替回路部分をラッチングリレーにより構成したことにより、新たに切替パルス信号が入力されない限り、ＬＡＮインターフェースの接続状態が変わることがないので、従来型のロータリースイッチを用いた装置の特長を保ちつつ、ＬＡＮインターフェース切替装置内の複数の切替ユニットの接続状態を一斉に切り替えることができるとともに、同装置を複数台接続してそのすべてに接続されたＬＡＮインターフェースを一斉に切り替える制御を行うことができ、システムの規模に応じた拡張が可能となり、幅広いＬＡＮシステムに供することができる。
【産業上の利用可能性】
【００３１】
これまでのＬＡＮインターフェース切替装置は、小規模な限定されたＬＡＮシステムにしか利用することができなかったが、本考案によるＬＡＮインターフェース切替装置は、規模に応じて拡張が可能であり、柔軟性に富んだ機能を有しているので、様々なＬＡＮシステムに適用することができる。
【符号の説明】
【００３２】
１  共通ユニット
２  切替ユニット
３  コネクタ
４  接続切替回路
６  制御回路
７  ラッチングリレーＳＷの接点
８  ラッチングリレーＳＷの駆動コイル
９  個別切替操作用のノンロックスイッチ
１０  一斉切替信号発生回路
１１  選択回路
１２  受信回路
１３  送出回路
１４，１５  コネクタ
１６  Ａ側に切り替える一斉切替操作用のノンロックスイッチ
１７  Ｂ側に切り替える一斉切替操作用のノンロックスイッチ
１８  モード設定用のロックスイッチ
【図１】
0003183184.tif 000003
【図２】
0003183184.tif 000004
【図３】
0003183184.tif 000005